(57)【要約】【課題】信頼性を向上するための表示基板及びこれを具備する表示装置を提供する。【解決手段】表示基板は、ゲート配線、駆動回路部、信号配線部、連結配線部及びコンタクト部を含み、ゲート配線は表示領域に形成され、ソース配線と交差し、駆動回路部は、表示領域を取り囲む周辺領域に形成され、ゲート配線にゲート信号を出力し、信号配線部は駆動回路部と隣接して形成され、ソース配線の延長方向に延長され、駆動信号を伝達するものであり、連結配線部は、信号配線部上に重なる一端部と駆動回路部と電気的に連結された他端部を含み、コンタクト部は、信号配線部上に形成され、一端部と信号配線部とを電気的に接続するものであり、このような構成とすることにより、ゲート駆動部の信号配線間の間隔を減少させて、密封部材のマージンを充分に確保することができ、ゲート駆動部を密封部材でカバーして、駆動信頼性を向上させることができる。【選択図】図３
2008026865.tif 000002
【特許請求の範囲】
【請求項１】
表示領域及び前記表示領域を囲む周辺領域を含む第１基板と、
前記表示領域に形成され、ソース配線と交差するゲート配線と、
前記周辺領域に形成され、前記ゲート配線にゲート信号を提供する駆動回路部と、
前記駆動回路部に隣接して形成され、前記駆動回路部に駆動信号を提供する信号配線部と、
前記信号配線部と重なる一端部及び前記駆動回路部と電気的に接続された他端部を含む連結配線部と、
前記信号配線部上に形成され、前記連結配線部の一端部と前記信号配線部とを電気的に接続するコンタクト部と、
を含む表示基板。
【請求項２】
前記駆動回路部は、互いに並列に接続された複数のステージで形成されるシフトレジスタを含むことを特徴とする請求項１記載の表示基板。
【請求項３】
前記各ステージは、電源端子、第１クロック端子及び第２クロック端子を含むことを特徴とする請求項２記載の表示基板。
【請求項４】
前記信号配線部は、
電源電圧を伝達する第１信号配線と、
第１クロック信号を伝達する第２信号配線と、
前記第１クロック信号に対して位相が反転する第２クロック信号を伝達する第３信号配線と、
を含むことを特徴とする請求項１記載の表示基板。
【請求項５】
前記連結配線部は、前記第１信号配線と前記電源端子とを電気的に接続する第１連結配線を含むことを特徴とする請求項１記載の表示基板。
【請求項６】
前記第１連結配線は、前記第１信号配線と平行に延長された延長部と前記延長部から前記ステージ側に分岐する分岐部とで構成されることを特徴とする請求項５記載の表示基板。
【請求項７】
前記第１連結配線の分岐部は、ジグザグ形状に折り曲げられていることを特徴とする請求項６記載の表示基板。
【請求項８】
前記連結配線部は、
一端部が前記第２信号配線と重なり、他端部が前記第１クロック端子に電気的に接続された第２連結配線と、
一端部が前記第３信号配線と重なり、他端部が前記第２クロック端子に電気的に接続された第３連結配線と、
を更に含むことを特徴とする請求項６記載の表示基板。
【請求項９】
前記コンタクト部は、前記第２連結配線の一端部と前記第２信号配線とを電気的に接続する第２コンタクト部を含むことを特徴とする請求項８記載の表示基板。
【請求項１０】
前記コンタクト部は、前記第３連結配線の一端部と前記第３信号配線とを電気的に接続する第３コンタクト部を更に含むことを特徴とする請求項９記載の表示基板。
【請求項１１】
前記信号配線部は、
電源電圧を伝達する第１信号配線と、
第１クロック信号を伝達する第２信号配線と、
第２クロック信号を伝達する第３信号配線と、
前記第１クロック信号に対して位相が反転された第３クロック信号を伝達する第４信号配線と、
前記第２クロック信号に対して位相が反転された第４クロック信号を伝達する第５信号配線と、
を含むことを特徴とする請求項３記載の表示基板。
【請求項１２】
前記連結配線部は、前記第１信号配線と前記ステージの電源端子とを電気的に接続する第１連結配線を含むことを特徴とする請求項１１記載の表示基板。
【請求項１３】
前記第１連結配線は、前記第１信号配線と平行に延長された延長部及び前記延長部から前記ステージ側に分岐する分岐部で構成されることを特徴とする請求項１２記載の表示基板。
【請求項１４】
前記分岐部は、ジグザグ形状に折り曲げられていることを特徴とする請求項１３記載の表示基板。
【請求項１５】
前記連結配線部は、
一端部が前記第２信号配線と重なり、他端部がｎ（ｎは自然数）番目ステージの第１クロック端子に電気的に接続された第２連結配線と、
一端部が前記第３信号配線と重なり、他端部がｎ＋１番目ステージの第１クロック端子に電気的に接続された第３連結配線と、
一端部が前記第４信号配線と重なり、他端部が前記ｎ番目ステージの第２クロック端子に電気的に接続された第４連結配線と、
一端部が前記第５信号配線と重なり、他端部が前記ｎ＋１番目ステージの第２クロック端子に電気的に接続された第５連結配線と、
を更に含むことを特徴とする請求項１２記載の表示基板。
【請求項１６】
前記コンタクト部は、
前記第２連結配線の一端部と前記第２信号配線とを電気的に接続する第２コンタクト部と、
前記第３連結配線の一端部と前記第３信号配線とを電気的に接続する第３コンタクト部と、
前記第４連結配線の一端部と前記第４信号配線とを電気的に接続する第４コンタクト部と、
前記第５連結配線の一端部と前記第５信号配線とを電気的に接続する第５コンタクト部と、
を更に含むことを特徴とする請求項１５記載の表示基板。
【請求項１７】
前記信号配線部は、
前記ステージを順方向に駆動させる順方向信号を伝達する第６信号配線と、
前記ステージを逆方向に駆動させる逆方向信号を伝達する第７信号配線と、
を更に含むことを特徴とする請求項１１記載の表示基板。
【請求項１８】
前記連結配線部は、
一端部が前記第６信号配線と重なり、他端部が前記ステージに電気的に接続される第６連結配線と、
一端部が前記第７信号配線と重なり、他端部が前記ステージに電気的に接続される第７連結配線と、
を更に含むことを特徴とする請求項１７記載の表示基板。
【請求項１９】
前記コンタクト部は、
前記第６連結配線の一端部と前記第６信号配線とを電気的に接続する第６コンタクト部と、
前記第７連結配線の一端部と前記第７信号配線とを電気的に接続する第７コンタクト部と、
を更に含むことを特徴とする請求項１８記載の表示基板。
【請求項２０】
ゲート配線及び前記ゲート配線と交差するソース配線を含む表示領域及び前記ゲート配線にゲート信号を提供するゲート駆動部を含む周辺領域で構成される表示基板と、
前記ゲート駆動部をカバーするように前記周辺領域に形成された密封部材と、
前記密封部材によって前記表示基板と結合する対向基板と、
前記表示基板と対向基板との間に介在する液晶層と、
を含み、前記ゲート駆動部は、駆動信号を伝達する信号配線部、前記駆動信号を利用して前記ゲート信号を生成する駆動回路部、前記信号配線部と重なる一端部と前記駆動回路部に電気的に接続された他端部とを含む連結配線部及び前記信号配線部の上に形成され前記連結配線部の一端部と前記信号配線部とを電気的に接続するコンタクト部を含む表示装置。
【請求項２１】
前記駆動回路部は、互いに並列に接続された複数のステージで形成されるシフトレジスタを含むことを特徴とする請求項２０記載の表示装置。
【請求項２２】
前記各ステージは、電源端子、第１クロック端子及び第２クロック端子を含むことを特徴とする請求項２１記載の表示装置。
【請求項２３】
前記信号配線部は、
電源電圧を伝達する第１信号配線と、
第１クロック信号を伝達する第２信号配線と、
前記第１クロック信号と位相が反転された第２クロック信号を伝達する第３信号配線と、
を含むことを特徴とする請求項２２記載の表示装置。
【請求項２４】
前記連結配線部は、前記第１信号配線と前記電源端子とを電気的に接続する第１連結配線を含むことを特徴とする請求項２３記載の表示装置。
【請求項２５】
前記第１連結配線は、前記第１信号配線と平行に延長された延長部及び前記延長部から前記ステージ側に分岐する分岐部で構成されることを特徴とする請求項２４記載の表示基板。
【請求項２６】
前記第１連結配線は、ジグザグ形状に折り曲げられていることを特徴とする請求項２５記載の表示装置。
【発明の詳細な説明】
【技術分野】
【０００１】
本発明は、表示基板及びこれを具備する表示装置に関し、より詳細には信頼性を向上させるための表示基板及びこれを具備する表示装置に関する。
【背景技術】
【０００２】
一般に、液晶表示装置は、液晶表示パネルと液晶表示パネルに駆動信号を印加する駆動部を含む。液晶表示パネルは、ゲート配線とソース配線によって定義された複数の画素部が構成され、実質的に画像が表示される表示領域とこの表示領域を囲む周辺領域で構成される。
最近、液晶表示装置を軽量で薄型および小型化するために、ゲート配線にゲート信号を出力するゲート駆動部を、表示領域を囲む周辺領域に集積させる技術が開発されている。このようなゲート駆動部は、実質的にゲート信号を生成する回路部と、この回路部に駆動信号を伝達する配線を含む。
【０００３】
ゲート駆動部を周辺領域に集積する場合、ゲート駆動部を保護するために、液晶表示パネルの密封部材であるシーラントがゲート駆動部をカバーすることが可能になるように、ゲート駆動部をシーラント形成領域内に形成するようにしている。
しかし、ゲート駆動部の多様な駆動方式に対応するために配線数を増加する場合、シーラントマージンが減少することになる。これによって、シーラントがゲート駆動部をカバーする領域が十分ではなくなり、ゲート駆動部の信頼性が低下するという問題点が発生する。
【発明の開示】
【発明が解決しようとする課題】
【０００４】
本発明の技術的課題はこのような点を解決するためのもので、本発明の目的は、ゲート駆動部の信号配線間の幅を減少させるための表示基板を提供することにある。
本発明の他の目的は、駆動信頼性を向上させるための表示装置を提供することにある。
【課題を解決するための手段】
【０００５】
前述した本発明の目的を実現するための実施例による表示基板は、ゲート配線、駆動回路部、信号配線部、連結配線部及びコンタクト部を含む。前記ゲート配線は表示領域に形成され、ソース配線と交差する。前記駆動回路部は前記表示領域を囲む周辺領域に形成され、前記ゲート配線にゲート信号を出力する。前記信号配線部は前記駆動回路部に隣接して形成され、前記ソース配線の延長方向に延長され駆動信号を伝達する。前記連結配線部は、前記信号配線部上に重なる一端部と、前記駆動回路部に電気的に接続された他端部を含む。前記コンタクト部は、前記信号配線部上に形成され前記一端部と前記信号配線部とを電気的に接続する。
【０００６】
前述した本発明の他の目的を実現するための表示装置は、表示基板、密封部材及び対向基板を含む。前記表示基板は、互いに交差するソース配線とゲート配線が形成された表示領域と前記ゲート配線にゲート信号を出力するゲート駆動部が形成された周辺領域で構成され、前記ゲート駆動部は、駆動信号を伝達する信号配線部と、前記駆動信号を利用して前記ゲート信号を生成する駆動回路部と、前記信号配線部と重なる一端部と前記駆動回路部に電気的に接続された他端部とを含む連結配線部及び前記信号配線部上に形成され前記一端部と前記信号配線部とを電気的に接続するコンタクト部を含む。前記密封部材は、前記ゲート駆動部をカバーするように前記周辺領域に形成される。前記対向基板は、前記密封部材によって前記表示基板と結合して液晶層を収容する。
【０００７】
このような表示基板及びこれを具備する表示装置によると、ゲート駆動部の信号配線間の間隔を減少させて前記密封部材のマージンを充分に確保することができる。これによって、前記ゲート駆動部を前記密封部材でカバーして駆動信頼性を向上させることができる。
【発明を実施するための最良の形態】
【０００８】
以下、添付した図面を参照して、本発明をより詳細に説明する。
図１は本発明の実施例による表示装置の平面図で、図２は図１に図示されたゲート駆動部に対するブロック図である。
図１及び図２に示すように、表示装置は表示パネル３００を含み、表示パネル３００は、表示基板１００、対向基板２００、及び液晶層（図示せず）を含む。
【０００９】
表示パネル３００は、表示領域ＤＡと、表示領域ＤＡを囲む第１、第２、第３、及び第４周辺領域ＰＡ１、ＰＡ２、ＰＡ３、ＰＡ４で構成される。
表示基板１００の表示領域ＤＡには、互いに交差するゲート配線ＧＬとソース配線ＤＬが形成され、ゲート配線ＧＬとソース配線ＤＬによって複数の画素部Ｐが定義される。各画素部Ｐは該当するゲート配線ＧＬ及びソース配線ＤＬに接続されたスイッチング素子ＴＦＴ、スイッチング素子ＴＦＴに接続された画素電極ＰＥを含む。
【００１０】
第１、第２、第３、及び第４周辺領域ＰＡ１、ＰＡ２、ＰＡ３、ＰＡ４には密封部材５０が形成される。密封部材５０は、表示基板１００と対向基板２００とを結合させる。
第１周辺領域ＰＡ１には、表示パネル３００に駆動信号を伝達するパッド部１１０が形成される。パッド部１１０は、フレキシブル印刷回路基板から伝達された駆動信号が印加される第１パッド部１１１と、駆動信号を利用してソース配線ＤＬにデータ信号を出力する駆動チップが実装される第２パッド部１１３を含む。
【００１１】
第２周辺領域ＰＡ２には、ゲート配線ＧＬのうち、奇数番目ゲート配線にゲート信号を出力する第１ゲート駆動部１４０が形成される。
以下、密封部材５０が囲む領域を「シーラント領域」と定義する。第１ゲート駆動部１４０は、シーラント領域内に形成される。第１ゲート駆動部１４０は、駆動信号を伝達する信号配線部１２０と駆動信号によってゲート信号を生成する駆動回路部１３０を含む。
【００１２】
第３周辺領域ＰＡ３には、ゲート配線ＧＬのうち、偶数番目ゲート配線にゲート信号を出力する第２ゲート駆動部１５０が形成される。第２ゲート駆動部１５０は、シーラント領域内に形成される。第２ゲート駆動部１５０は、駆動信号を伝達する信号配線部（図示せず）と駆動信号によってゲート信号を生成する駆動回路部（図示せず）を含む。
図示していないが、ゲート配線ＧＬにゲート信号を出力するゲート駆動部を第２及び第３周辺領域のうち、いずれか１つにのみ形成することもできる。
【００１３】
具体的に、第１ゲート駆動部１４０は、信号配線部１２０と駆動回路部１３０を含む。信号配線部１２０は、第１信号配線１２１、第２信号配線１２２、第３信号配線１２３、及び第４信号配線１２４を含む。第１信号配線１２１にはゲートオフ電圧ＶＯＦＦが伝達され、第２信号配線１２２には第１クロック信号ＣＫが伝達され、第３信号配線１２３には第２クロック信号ＣＫＢが伝達され、第４信号配線１２４には垂直開始信号ＳＴＶが伝達される。
【００１４】
駆動回路部１３０は、互いに従属的に接続された複数のステージ（ＳＲＣ１〜ＳＲＣｋ＋１）で構成された１つのシフトレジスタで構成される。複数のステージ（ＳＲＣ１〜ＳＲＣｋ＋１）はｋ個のゲート信号を出力するｋ個ステージ（ＳＲＣ１〜ＳＲＣｋ）とダミー信号を出力する１つのダミーステージ（ＳＲＣｋ＋１）を含む。
各ステージ（ＳＲＣ１〜ＳＲＣｋ＋１）は、電源端子ＶＧ、第１クロック端子ＣＫ１、第２クロック端子ＣＫ２、第１制御端子ＣＴ１、第２制御端子ＣＴ２及び出力端子ＯＵＴを含む。電源端子ＶＧは、第１信号配線１２１に接続されゲートオフ電圧ＶＯＦＦが印加される。第１クロック端子ＣＫ１は、第２信号配線１２２に接続され第１クロック信号ＣＫが印加される。第２クロック端子ＣＫ２は、第３信号配線１２３に接続され第２クロック信号ＣＫＢが印加される。
【００１５】
例えば、奇数番目ステージ（ＳＲＣ２ｎ−１）は、第１クロック端子ＣＫ１に第１クロック信号ＣＫが印加され、第２クロック端子ＣＫ２に第２クロック信号ＣＫＢが印加される。偶数番目ステージＳＲＣ２ｎは、第１クロック端子ＣＫ１に第２クロック信号ＣＫＢが印加され、第２クロック端子ＣＫ２に第１クロック信号ＣＫが印加される。ここで、ｎは１、２、…、ｋ／２、ｋは２の倍数である。第１及び第２クロック信号ＣＫ、ＣＫＢは、ハイレベルがゲートオン電圧ＶＯＮのレベルと実質的に同じであり、互いに位相が反転された信号である。
【００１６】
第１制御端子ＣＴ１は、垂直開始信号ＳＴＶ又は前端ステージの出力信号が印加され、ステージ（ＳＲＣ１〜ＳＲＣｋ＋１）の駆動開始を制御する。第２制御端子ＣＴ２は、次端ステージの出力信号が印加され、ステージＳＲＣ１の駆動停止を制御する。出力端子ＯＵＴは、該当するゲート配線にゲート信号Ｇｋを印加する。
図３は図２に図示されたゲート駆動部のレイアウト図で、図４は図３のI-I’に沿って切断した断面図である。
【００１７】
図２〜図４に示すように、ゲート駆動部は、信号配線部１２０と複数のステージ（ＳＲＣ２ｎ−１、ＳＲＣ２ｎ）で構成された駆動回路部１３０及び信号配線部１２０と駆動回路部１３０を電気的に接続する連結配線部（図示せず）を含む。
各ステージ（ＳＲＣ２ｎ−１、ＳＲＣ２ｎ）は互いに電気的に接続された複数の薄膜トランジスタで形成され、薄膜トランジスタは第１導電層で形成されたゲート電極ＧＥと、第２導電層で形成されたソース−ドレイン電極ＳＥ、ＤＥ及びアモルファスシリコン層又は多結晶シリコン層で形成されたチャンネルＣＨを含む。
【００１８】
信号配線部１２０は、ステージ（ＳＲＣ２ｎ−１、ＳＲＣ２ｎ）が配列された方向に延長され、ステージ（ＳＲＣ２ｎ−１、ＳＲＣ２ｎ）に駆動信号を伝達する。信号配線部１２０は、ゲートオフ電圧ＶＯＦＦを伝達する第１信号配線１２１、第１クロック信号ＣＫを伝達する第２信号配線１２２、第２クロック信号ＣＫＢを伝達する第３信号配線１２３及び垂直開始信号ＳＴＶを伝達する第４信号配線１２４を含む。信号配線部１２０は一定の間隔で互いに平行に形成される。信号配線部１２０は、前述した第１導電層で形成される。
【００１９】
連結配線部（図示せず）は、第１連結配線１２１ａ、第２連結配線１２２ａ、第３連結配線１２３ａを含み、第１導電層と絶縁された第２導電層で形成される。勿論、信号配線部１２０が第２導電層で形成される場合、連結配線部は第１導電層で形成される。
第１連結配線１２１ａは、第１信号配線１２１と平行に形成された延長部と、この延長部から各ステージ側に分岐した分岐部で構成される。ゲートオフ電圧ＶＯＦＦの信号遅延を減少させるために、第１信号配線１２１及び第１連結配線１２１ａの延長部の一端にゲートオフ電圧ＶＯＦＦが同時に印加される。第１連結配線１２１ａの分岐部を通じて各ステージにゲートオフ電圧ＶＯＦＦが伝達される。
【００２０】
例えば、第１連結配線１２１ａは、２ｎ−１番目ステージ（ＳＲＣ２ｎ−１）側に分岐され、２ｎ−１番目ステージ（ＳＲＣ２ｎ−１）の電源端子ＶＧに電気的に接続される。第１信号配線１２１と第１連結配線１２１ａとは、第１コンタクト部１２１ｃによって電気的に接続される。
第１コンタクト部１２１ｃは、第１コンタクトホールＣ１、第２コンタクトホールＣ２、及び第１コンタクト電極Ｅ１を含む。第１コンタクトホールＣ１は第１信号配線１２１を露出させ、第２コンタクトホールＣ２は第１連結配線１２１ａを露出させ、第１コンタクト電極Ｅ１は第１及び第２コンタクトホールＣ１、Ｃ２を通じて第１信号配線１２１及び第１連結配線１２１ａを電気的に接続する。
【００２１】
第２連結配線１２２ａの一端は、第２信号配線１２２上に重なるように形成され、他端は２ｎ−１番目ステージ（ＳＲＣ２ｎ−１）の第１クロック端子ＣＫ１に電気的に接続される。第２信号配線１２２と第２連結配線１２２ａとは第２コンタクト部１２２ｃによって電気的に接続される。
第２コンタクト部１２２ｃは、第３コンタクトホールＣ３、第４コンタクトホールＣ４及び第２コンタクト電極Ｅ２を含む。第３コンタクトホールＣ３は第２信号配線１２２を露出させ、第４コンタクトホールＣ４は第２連結配線１２２ａの一端を露出させ、第２コンタクト電極Ｅ２は第３及び第４コンタクトホールＣ３、Ｃ４を通じて第２信号配線１２２及び第２連結配線１２２ａを電気的に接続させる。
【００２２】
第３連結配線１２３ａの一端は、第３信号配線１２３上に重なるように形成され、他端は２ｎ−１番目ステージ（ＳＲＣ２ｎ−１）の第２クロック端子ＣＫ２に電気的に接続される。第３信号配線１２３と第３連結配線１２３ａとは、第３コンタクト部１２３ｃによって電気的に接続される。
第３コンタクト部１２３ｃは、第５コンタクトホールＣ５、第６コンタクトホールＣ６及び第３コンタクト電極Ｅ３を含む。第５コンタクトホールＣ５は第３信号配線１２３を露出させ、第６コンタクトホールＣ６は第３連結配線１２３ａの一端を露出させ、第３コンタクト電極Ｅ３は第５及び第６コンタクトホールＣ５、Ｃ６を通じて第３信号配線１２３及び第３連結配線１２３ａを電気的に接続させる。
【００２３】
第１、第２、及び第３コンタクト電極Ｅ１、Ｅ２、Ｅ３は第３導電層で形成されており、この第３導電層は画素部に形成された画素電極と同じ物質で形成され、第２導電層と絶縁されていることが好ましい。
このように、第２及び第３コンタクト部１２２ｃ、１２３ｃが第２及び第３信号配線１２２、１２３上に重なって形成されることによって、第２及び第３信号配線１２２、１２３の間に別のコンタクト領域が不必要である。これによって、第２及び第３信号配線１２２、１２３間の離間幅を最小化することができる。
【００２４】
結果的に、信号配線部１２０の形成面積を最小化して、ゲート駆動部の全体形成面積を減少させる。従って、ゲート駆動部をカバーするための密封部材のマージンを充分に確保して、ゲート駆動部の腐食を防止する。
図５は、本発明の他の実施例によるゲート駆動部のレイアウト図である。
図５に示すように、信号配線部は、ゲートオフ電圧ＶＯＦＦを伝達する第１信号配線１２１、第１クロック信号ＣＫを伝達する第２信号配線１２２、第２クロック信号ＣＫＢを伝達する第３信号配線１２３及び垂直開始信号ＳＴＶを伝達する第４信号配線１２４を含む。
【００２５】
連結配線部は、第１連結配線１２１ｂ、第２連結配線１２２ｂ、第３連結配線１２３ｂを含み、第２導電層で形成される。信号配線部及び連結配線部は互いに異なる金属層で形成される。
具体的に、第１連結配線１２１ｂは、第１信号配線１２１に平行に形成され、ゲートオフ電圧ＶＯＦＦが印加される延長部と、この延長部から分岐して２ｎ−１番目ステージ（ＳＲＣ２ｎ−１）の電源端子ＶＧに電気的に接続された分岐部で構成される。
【００２６】
第１連結配線１２１ｂの分岐部は、後述する第２及び第３信号配線１２２、１２３と、第２及び第３連結配線１２２ｂ、１２３ｂとをそれぞれ電気的に接続させる第２及び第３コンタクト部１２２ｃ’、１２３ｃ’のコンタクト面積をできるだけ広く形成するために、ジグザグ形状に折り曲げて形成されている。
第１信号配線１２１と第１連結配線１２１ｂとは、第１コンタクト部１２１ｃ’によって電気的に接続される。第１コンタクト部１２１ｃ’は、第１コンタクトホールＣ１’、第２コンタクトホールＣ２’及び第１コンタクト電極Ｅ１’を含む。第１コンタクトホールＣ１’は第１信号配線１２１を露出させ、第２コンタクトホールＣ２’は第１連結配線１２１ｂを露出させ、第１コンタクト電極Ｅ１’は第１及び第２コンタクトホールＣ１’、Ｃ２’を通じて第１信号配線１２１及び第１連結配線１２１ｂを電気的に接続する。
【００２７】
第２連結配線１２２ｂの一端は、第２信号配線１２２上に重なるように形成され、他端は２ｎ−１番目ステージ（ＳＲＣ２ｎ−１）の第１クロック端子ＣＫ１に電気的に接続される。第２連結配線１２２ｂの一端側において第２信号配線１２２と重なる面積は、図３に図示される第２連結配線１２２ａの一端側が第２信号配線１２２と重なる面積より広く構成される。
【００２８】
また、第１連結配線１２１ｂをジグザグ形状に折り曲げて形成することにより、第２コンタクト部１２２ｃ’のコンタクト面積を、図３に図示された第２コンタクト部１２２ｃのコンタクト面積より広くすることができる。
第２コンタクト部１２２ｃ’は、第２信号配線１２２を露出させる第３コンタクトホールＣ３’と第２連結配線１２２ｂの一端を露出させる第４コンタクトホールＣ４’を含み、第３及び第４コンタクトホールＣ３’、Ｃ４’を通じて第２信号配線１２２及び第２連結配線１２２ｂを電気的に接続する第２コンタクト電極Ｅ２’を含む。
【００２９】
第３連結配線１２３ｂの一端は、第３信号配線１２３上に重なるように形成され、他端は２ｎ−１番目ステージ（ＳＲＣ２ｎ−１）の第２クロック端子ＣＫ２と電気的に接続される。第３連結配線１２３ｂの一端は、図３に図示された第３連結配線１２３ａの一端より第３信号配線１２３と重なる面積が広い。
第１連結配線１２１ｂをジグザグ形状に折り曲げて形成していることにより、第３コンタクト部１２３ｃ’のコンタクト面積を、図３に示す第３コンタクト部１２３ｃのコンタクト面積より広くすることができる。
【００３０】
第３コンタクト部１２３ｃ’は、第３信号配線１２３を露出させる第５コンタクトホールＣ５’と第３連結配線１２３ｂの一端を露出させる第６コンタクトホールＣ６’を含み、第５及び第６コンタクトホールＣ５’、Ｃ６’を通じて第３信号配線１２３及び第３連結配線１２３ｂを電気的に接続する第３コンタクト電極Ｅ３’を含む。
第１、第２、及び第３コンタクト電極Ｅ１’、Ｅ２’、Ｅ３’は第３導電層で形成されており、この第３導電層は画素部に形成された画素電極と同じ物質であるｋとが好ましい。
【００３１】
従って、コンタクト部を該当する信号配線上に形成することにより、信号配線間の離間幅を減少させて、ゲート駆動部の全体形成面積を減少させることができる。また、第１連結配線１２１ｂをジグザグ形状に形成することにより、第１、第２、及び第３コンタクト部１２１ｃ’、１２２ｃ’、１２３ｃ’のそれぞれのコンタクト面積を広く形成することができる。
【００３２】
図６は、本発明の他の実施例によるゲート駆動部のブロック図である。
図１及び図６に示すように、ゲート駆動部１４０は、信号配線部５２０及び駆動回路部５３０を含む。
信号配線部５２０は、第１、第２、第３、第４、第５、第６、第７、及び第８信号配線５２１、５２２、５２３、５２４、５２５、５２６、５２７、５２８を含む。第１信号配線５２１はゲートオフ電圧ＶＯＦＦを伝達し、第２信号配線５２２は第１クロック信号ＣＫを伝達し、第３信号配線５２３は第２クロック信号ＣＫ’を伝達し、第４信号配線５２４は第３クロック信号ＣＫＢを伝達し、第５信号配線５２５は第４クロック信号ＣＫＢ’を伝達し、第６信号配線５２６は順方向信号ＤＩＲを伝達し、第７信号配線５２７は逆方向信号ＤＩＲＢを伝達し、第８信号配線５２８は垂直開始信号ＳＴＶを伝達する。
【００３３】
駆動回路部５３０は、互いに従属的に接続された複数のステージ（ＳＲＣ１〜ＳＲＣｋ＋１）を含み、複数のステージ（ＳＲＣ１〜ＳＲＣｋ＋１）は複数のゲート配線ＧＬのうち、奇数番目ゲート配線にゲート信号を出力する。各ステージ（ＳＲＣ１〜ＳＲＣｋ＋１）は電源端子ＶＧ、第１クロック端子ＣＫ１、第２クロック端子ＣＫ２、第１制御端子ＣＴ１、第２制御端子ＣＴ２及び出力端子ＯＵＴを含む。また、ステージ（ＳＲＣ１〜ＳＲＣｋ＋１）を順方向に順に駆動するための順方向信号ＤＩＲが入力される端子と、ステージ（ＳＲＣ１〜ＳＲＣｋ＋１）を逆方向に順に駆動するための逆方向信号ＤＩＲＢが入力される端子を含む。
【００３４】
４ｎ−３番目ステージＳＲＣ１では、第１クロック端子ＣＫ１に第１クロック信号ＣＫが印加され、第２クロック端子ＣＫ２に第３クロック信号ＣＫＢが印加される。４ｎ−２番目ステージＳＲＣ２では、第１クロック端子ＣＫ１に第２クロック信号ＣＫ’が印加され、第２クロック端子ＣＫ２に第４クロック信号ＣＫＢ’が印加される。４ｎ−１番目ステージＳＲＣ３では、第１クロック端子ＣＫ１に第３クロック信号ＣＫＢが印加され、第２クロック端子ＣＫ２に第１クロック信号ＣＫが印加される。４ｎ番目ステージＳＲＣ４では、第１クロック端子ＣＫ１に第４クロック信号ＣＫＢ’が印加され、第２クロック端子ＣＫ２に第２クロック信号ＣＫ’が印加される。ここで、ｎは、１、２、…、ｋ／４、ｋは４の倍数である。
【００３５】
第１クロック信号ＣＫと第３クロック信号ＣＫ’は所定の遅延差を有し、第１及び第３クロック信号ＣＫ、ＣＫＢは互いに位相が反転され、第２及び第４クロック信号ＣＫ’、ＣＫＢ’は互いに位相が反転される。
図７は図６に図示されたゲート駆動部のレイアウト図で、図８は図７に図示されたII-II’に沿って切断した断面図である。
【００３６】
図６〜図８に示すように、ゲート駆動部は、信号配線部５２０と複数のステージ（ＳＲＣ４ｎ−２、ＳＲＣ４ｎ−１）で構成された駆動回路部５３０及び信号配線部５２０と駆動回路部５３０とを電気的に接続する連結配線部（図示せず）を含む。
各ステージ（ＳＲＣ４ｎ−２）は互いに電気的に接続された複数の薄膜トランジスタで形成され、薄膜トランジスタは第１導電層で形成されたゲート電極ＧＥと、第２導電層で形成されたソース−ドレイン電極ＳＥ、ＤＥ及びアモルファスシリコン層または多結晶シリコン層で形成されたチャンネル層ＣＨを含む。
【００３７】
信号配線部５２０は、第１、第２、第３、第４、第５、第６、第７及び第８信号配線５２１、５２２、５２３、５２４、５２５、５２６、５２７、５２８を含む。信号配線部５２０は、第１導電層で形成される。
連結配線部は、第１、第２、第３、第４、第５、第６及び第７連結配線５２１ａ、５２２ａ、５２３ａ、５２４ａ、５２５ａ、５２６ａ、５２７ａを含み、第２導電層で形成される。勿論、信号配線部５２０が第２導電層で形成される場合、連結配線部は、第１導電層で形成される。
【００３８】
具体的に、第１連結配線５２１ａは、第１信号配線５２１と平行に形成され、ゲートオフ電圧ＶＯＦＦが印加される延長部と延長部から分岐され４ｎ−２番目ステージ（ＳＲＣ４ｎ−２）の電源端子ＶＧと電気的に接続された分岐部で構成される。第１信号配線５２１と第１連結配線５２１ａとは、第１コンタクト部５２１ｃによって電気的に接続される。
【００３９】
第１コンタクト部５２１ｃは、第１コンタクトホールＣ１、第２コンタクトホールＣ２及び第１コンタクト電極Ｅ１を含む。第１コンタクトホールＣ１は第３信号配線５２１を露出させ、第２コンタクトホールＣ２は第１連結配線５２１ａを露出させ、第１コンタクト電極Ｅ１は、第１及び第２コンタクトホールＣ２、Ｃ２を通じて第１信号配線５２１及び第１連結配線５２１ａを電気的に接続する。
【００４０】
第３連結配線５２３ａの一端は、第３信号配線５２３上に重なるように形成され、他端は４ｎ−２番目ステージ（ＳＲＣ４ｎ−２）の第１クロック端子ＣＫ１と電気的に接続される。第３信号配線５２３と第３連結配線５２３ａは、第３コンタクト部５２３ｃによって電気的に接続される。
第３コンタクト部５２３ｃは、第３コンタクトホールＣ３、第４コンタクトホールＣ４及び第２コンタクト電極Ｅ２を含む。第３コンタクトホールＣ３は第３信号配線５２３を露出させ、第４コンタクトホールＣ４は第３連結配線５２３ａの一端を露出させ、第２コンタクト電極Ｅ２は第３及び第４コンタクトホールＣ３、Ｃ４を通じて第３信号配線５２３及び第３連結配線５２３ａを電気的に接続させる。
【００４１】
第５連結配線５２５ａの一端は、第５信号配線５２５上に重なるように形成され、他端は４ｎ−２番目ステージ（ＳＲＣ４ｎ−２）の第２クロック端子ＣＫ２と電気的に接続される。第５信号配線５２５と第５連結配線５２５ａは、第５コンタクト部５２５ｃによって電気的に接続される。
第５コンタクト部５２５ｃは、第５コンタクトホールＣ５、第６コンタクトホールＣ６及び第３コンタクト電極Ｅ３を含む。第５コンタクトホールＣ５は第５信号配線５２５を露出させ、第６コンタクトホールＣ６は第５連結配線５２５ａの一端を露出させ、第３コンタクト電極Ｅ３は第５及び第６コンタクトホールＣ５、Ｃ６を通じて第５信号配線５２５及び第５連結配線５２５ａを電気的に接続させる。
【００４２】
第６連結配線５２６ａの一端は、第６信号配線５２６上に重なるように形成され、他端は４ｎ−２番目ステージ（ＳＲＣ４ｎ−２）と電気的に接続される。第６信号配線５２６と第６連結配線５２６ａは第６コンタクト部５２６ｃによって電気的に接続される。
第６コンタクト部５２６ｃは、第７コンタクトホールＣ７、第８コンタクトホールＣ８及び第４コンタクト電極Ｅ４を含む。第７コンタクトホールＣ７は、第６信号配線５２６を露出させ、第８コンタクトホールＣ８は第６連結配線５２６ａの一端を露出させ、第４コンタクト電極Ｅ４は第７及び第８コンタクトホールＣ７、Ｃ８を通じて第６信号配線５２６及び第６連結配線５２６ａを電気的に接続させる。
【００４３】
第７連結配線５２７ａの一端は、第７信号配線５２７上に重なるように形成され、他端は４ｎ−２番目ステージ（ＳＲＣ４ｎ−２）と電気的に接続される。第７信号配線５２７と第７連結配線５２７ａは、第７コンタクト部５２７ｃによって電気的に接続される。
第７コンタクト部５２７ｃは、第９コンタクトホールＣ９、第１０コンタクトホールＣ１０及び第５コンタクト電極Ｅ５を含む。第９コンタクトホールＣ９は第７信号配線５２７を露出させ、第１０コンタクトホールＣ１０は第７連結配線５２７ａの一端を露出させ、第５コンタクト電極Ｅ５は第９及び第１０コンタクトホールＣ９、Ｃ１０を通じて第７信号配線５２７及び第７連結配線５２７ａを電気的に接続させる。
【００４４】
前述したような方式で、４ｎ−１番目ステージ（ＳＲＣ４ｎ−１）は、第１、第２、第４、第６及び第７連結配線５２１ａ、５２２ａ、５２４ａ、５２６ａ、５２７ａを通じて第１、第２、第４、第６及び第７信号配線５２１、５２２、５２４、５２６、５２７と電気的に接続される。この場合、第１、第２、第４、第６及び第７信号配線５２１、５２２、５２４、５２６、５２７と第１、第２、第４、第６及び第７連結配線５２１ａ、５２２ａ、５２４ａ、５２６ａ、５２７ａとは、第１、第２、第４、第６及び第７コンタクト部５２１ｃ、５２２ｃ、５２４ｃ、５２６ｃ、５２７ｃを通じて電気的にそれぞれ接続される。
【００４５】
このように、第２、第３、第４、第５、第６及び第７コンタクト部５２２ｃ、５２３ｃ、５２４ｃ、５２５ｃ、５２６ｃ、５２７ｃが第２、第３、第４、第５、第６及び第７信号配線５２２、５２３、５２４、５２５、５２６、５２７上に重なるように形成することにより、信号配線の間に別のコンタクト領域が不必要になる。これによって、信号配線間の離間幅を最小化することができる。
【００４６】
結果的に、信号配線部５２０の形成面積を最小化して、ゲート駆動部の全体形成面積を減少することができる。従って、ゲート駆動部を密封部材５０が形成される領域内に形成することにより、ゲート駆動部の腐食を防止して、信頼性を向上させる。
図９は、本発明の他の実施例によるゲート駆動部のレイアウト図である。
図９に示すように、４ｎ−２番目ステージ（ＳＲＣ４ｎ−２）は、第１、第３、第５、第６及び第７連結配線５２１ｂ、５２３ｂ、５２５ｂ、５２６ｂ、５２７ｂを通じて第１、第３、第５、第６及び第７信号配線５２１、５２３、５２５、５２６、５２７に電気的に接続される。
【００４７】
具体的に、第１連結配線５２１ｂは、第１信号配線５２１と平行に形成されゲートオフ電圧ＶＯＦＦが印加される延長部と延長部から分岐して４ｎ−２番目ステージ（ＳＲＣ４ｎ−２）の電源端子ＶＧに電気的に接続された分岐部で構成される。
第１連結配線５２１ｂの分岐部は、後述する第３、第５、第６及び第７信号配線５２３、５２５、５２６、５２７と、第３、第５、第６及び第７連結配線５２３ｂ、５２５ｂ、５２６ｂ、５２７ｂとをそれぞれ電気的に接続させる第３、第５、第６及び第７コンタクト部５２３ｃ’、５２５ｃ’、５２６ｃ’、５２７ｃ’のコンタクト面積を最大に形成するために、ジグザグ形状に折り曲げて形成する。
【００４８】
第１信号配線５２１と第１連結配線５２１ｂとは、第１コンタクト部５２１ｃ’によって電気的に接続される。第１コンタクト部１２１ｃ’は、第１コンタクトホールＣ１’、第２コンタクトホールＣ２’及び第１コンタクト電極Ｅ１’を含む。第１コンタクトホールＣ１’は第１信号配線５２１を露出させ、第２コンタクトホールＣ２’は第１連結配線５２１ｂを露出させ、第１コンタクト電極Ｅ１’は第１及び第２コンタクトホールＣ１’Ｃ２’を通じて第１信号配線５２１及び第１連結配線５２１ｂを電気的に接続させる。
【００４９】
第３連結配線５２３ｂの一端は、第３信号配線５２３上に重なるように形成され、他端は４ｎ−２番目ステージ（ＳＲＣ４ｎ−２）の第１クロック端子ＣＫ１と電気的に接続される。第３連結配線５２３ｂの一端は、図７に図示された第３連結配線５２３ａの一端より第３信号配線５２３と重なる面積が広い。
第１連結配線５２１ｂをジグザグ形状に折り曲げて形成することにより、第３コンタクト部５２３ｃ’のコンタクト面積は、図７に図示した第３コンタクト部５２３ｃにより広く構成することができる。第３コンタクト部５２３ｃ’は、第３信号配線５２３を露出させる第３コンタクトホールＣ３’と第３連結配線５２３ｂの一端を露出させる第４コンタクトホールＣ４’とを含み、第３及び第４コンタクトホールＣ３’、Ｃ４’を通じて第３信号配線５２３及び第３連結配線５２３ｂを電気的に接続する第２コンタクト電極Ｅ２’を含む。
【００５０】
第５連結配線５２５ｂの一端は、第５信号配線５２５上に重なるように形成され、他端は４ｎ−２番目ステージ（ＳＲＣ４ｎ−２）の第２クロック端子ＣＫ２と電気的に接続される。第５連結配線５２５ｂの一端側において第５信号配線５２５と重なる面積は、図７に示した第５連結配線５２５ａの一端側において第５信号配線５２５と重なる面積よりも広くなる。
【００５１】
第１連結配線５２１ｂをジグザグ形状に折り曲げて形成することにより、第５コンタクト部５２５ｃ’のコンタクト面積は、図７に示す第５コンタクト部５２５ｃのコンタクト面積より広く構成することができる。第５コンタクト部５２５ｃ’は、第５信号配線５２５を露出させる第５コンタクトホールＣ５’と、第５連結配線５２５ｂの一端を露出させる第６コンタクトホールＣ６’とを含み、第５及び第６コンタクトホールＣ５’、Ｃ６’を通じて第５信号配線５２５及び第５連結配線５２５ｂを電気的に接続する第３コンタクト電極Ｅ３’を含む。
【００５２】
第６連結配線５２６ｂの一端は、第６信号配線５２６上に重なるように形成され、他端は４ｎ−２番目ステージ（ＳＲＣ４ｎ−２）に電気的に接続される。第６連結配線５２６ｂの一端側において第６信号配線部５２６と重なる面積は、図７に示す第６連結配線５２６ａの一端側において第６信号配線５２６と重なる面積よりも広く構成できる。
第１連結配線５２１ｂをジグザグ形状に折り曲げて形成することにより、第６コンタクト部５２６ｃ’のコンタクト面積は、図７に示す第６コンタクト部５２６ｃのコンタクト面積より広く構成できる。第６コンタクト部５２６ｃ’は、第６信号配線５２６を露出させる第７コンタクトホールＣ７’と、第６連結配線５２６ｂの一端を露出させる第８コンタクトホールＣ８’とを含み、第７及び第８コンタクトホールＣ７’、Ｃ８’を通じて第６信号配線５２６及び第６連結配線５２６ｂを電気的に接続する第４コンタクト電極Ｅ４’を含む。
【００５３】
第７連結配線５２７ｂの一端は、第７信号配線５２７上に重なるように形成され、他端は４ｎ−２番目ステージ（ＳＲＣ４ｎ−２）に電気的に接続される。第７連結配線５２７ｂの一端側において第７信号配線５２７と重なる面積は、図７に示す第７連結配線５２７ａの一端において第７信号配線５２７と重なる面積よりも広く構成できる。
第１連結配線５２１ｂをジグザグ形状にまり曲げて形成することにより、第７コンタクト部５２７ｃ’にコンタクト面積を、図７に示す第７コンタクト部５２７ｃのコンタクト面積より広くすることができる。第７コンタクト部５２７ｃ’は、第７信号配線５２７を露出させる第９コンタクトホールＣ９’と、第７連結配線５２７ｂの一端を露出させる第１０コンタクトホールＣ１０’とを含み、第９及び第１０コンタクトホールＣ９’、Ｃ１０’を通じて第７信号配線５２７及び第７連結配線５２７ｂを電気的に接続する第５コンタクト電極Ｅ５’を含む。
【００５４】
第１、第２、第３、第４及び第５コンタクト電極Ｅ１’、Ｅ２’、Ｅ３’、Ｅ４’、Ｅ５’は第３導電層で形成されており、第３導電層は画素部に形成された画素電極と同じ物質であることが好ましい。
前述したような方式で、４ｎ−１番目ステージ（ＳＲＣ４ｎ−１）と第１、第２、第４、第６及び第７信号配線５２１、５２２、５２３、５２６、５２７は、第１、第２、第４、第６及び第７連結配線５２１ｂ、５２２ｂ、５２４ｂ、５２６ｂ、５２７ｂを通じて電気的に接続される。この場合、第１、第２、第４、第６及び第７信号配線５２１、５２２、５２４、５２６、５２７と第１、第２、第４、第６及び第７連結配線５２１ｂ、５２２ｂ、５２４ｂ、５２６ｂ、５２７ｂとは、第１、第２、第４、第６及び第７コンタクト部５２１ｃ、５２２ｃ、５２４ｃ、５２６ｃ、５２７ｃを通じて電気的にそれぞれ接続される。
【００５５】
従って、信号配線部５２０の形成面積を最小化してゲート駆動部の全体形成面積を減少させることができる。また、第１連結配線５２１ｂをジグザグ形状に折り曲げて形成することにより、第１、第２、第３、第４、第５、第６及び第７コンタクト部５２１ｃ’、５２２ｃ’、５２３ｃ’、５２４ｃ’、５２５ｃ’、５２６ｃ’、５２７ｃ’のそれぞれのコンタクト面積を広く形成することができる。
【産業上の利用可能性】
【００５６】
以上で説明したように、本発明によると、信号配線と連結配線とを電気的に接続するコンタクト部を信号配線上に重なるように形成することにより、隣接した信号配線間の間隔を減少することができる。これによって、密封部材が形成される領域内にゲート駆動部を集積することにより、密封部材によってゲート駆動部の腐食等を防止して、ゲート駆動部の駆動信頼性を向上することができる。
【００５７】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【００５８】
【図１】本発明の実施例による表示装置の平面図である。
【図２】図１に図示されたゲート駆動部に対するブロック図である。
【図３】図２に図示されたゲート駆動部のレイアウト図である。
【図４】図３のI-I’に沿って切断した断面図である。
【図５】本発明の他の実施例によるゲート駆動部のレイアウト図である。
【図６】本発明の他の実施例によるゲート駆動部のブロック図である。
【図７】図６に図示されたゲート駆動部のレイアウト図である。
【図８】図７に図示されたII-II’に沿って切断した断面図である。
【図９】本発明の他の実施例によるゲート駆動部のレイアウト図である。
【符号の説明】
【００５９】
５０    密封部材
１００    表示基板
１２０    信号配線部
１２１    第１信号配線
１２１ａ、１２１ｂ    第１連結配線
１２１ｃ    第１コンタクト部
１３０    駆動回路部
１４０    第１ゲート駆動部
１５０    第２ゲート駆動部
２００    対向基板
３００    表示パネル
Ｃ１、Ｃ２    第１及び第２コンタクトホール
Ｅ１    第１コンタクト電極
【図１】
2008026865.tif 000003
【図２】
2008026865.tif 000004
【図３】
2008026865.tif 000005
【図４】
2008026865.tif 000006
【図５】
2008026865.tif 000007
【図６】
2008026865.tif 000008
【図７】
2008026865.tif 000009
【図８】
2008026865.tif 000010
【図９】
2008026865.tif 000011